(57)【要約】【課題】物品に飾られた装飾物を保持するための装飾物固定機構及び該装飾物固定機構を含むポットを提供する。【解決手段】液体を収容するための容器開口を有する容器部１と、容器部１の容器開口を覆って着脱自在に設けられている蓋部２であって、蓋本体２１、及び蓋本体２１から突出している取っ手２２から構成されている蓋部２と、取っ手２２を覆って位置決めされている装飾物固定機構３であって、固定シート、及び固定シートに着脱可能に取り付けられていると共に、装飾物９が装着される連結部材から構成されている装飾物固定機構３と、を備えているポット１００であって、取っ手２２が装飾物固定機構３における固定シートの内空間内に収容されるように配置固定されている。【選択図】図１
0003227445.tif 000002
【実用新案登録請求の範囲】
【請求項１】
固定シートと、前記固定シートに着脱可能に取り付けられていると共に、装飾物が装着される連結部材と、から構成されている装飾物固定機構であって、
前記固定シートは、
両端縁を有する円筒状となっていると共に、第１の切り欠きが前記両端縁のいずれかの端縁の一側から他側へ延伸して所定の幅があるように開設されている周壁部と、
前記周壁部における前記第１の切り欠きが開設されている端縁と隣接し、且つ、前記周壁部と共に内空間を画成している蓋壁部であって、前記内空間に面する第１の面と、前記第１の面の反対側の第２の面と、前記第１の切り欠きに対応する周縁から中央側へ延伸してＴ字形状となるように開設されているとともに、前記第１の切り欠きと隣接して幅が前記第１の切り欠きの幅と一致するように形成されている第１の案内溝と、前記第１の案内溝と連通して幅が前記第１の案内溝の幅よりも小さく形成されている第２の案内溝と、に区分されている第２の切り欠きと、を有している蓋壁部と、
前記内空間において両端壁が前記蓋壁部の前記第１の面に繋がっていて、前記蓋壁部と共に開口を有するように前記第１の切り欠きおよび前記第２の切り欠きと連通している挿入空間を画成している連結壁部と、を備えており、
前記連結部材は、先端の方が前記固定シートの前記挿入空間に着脱可能に挿入されており、且つ、
前記第１の切り欠きおよび前記第２の切り欠きにある箇所においてブロック状に配置構成されている基部と、
前記基部から前記先端の方へ前記第１の切り欠きおよび前記挿入空間の開口を通過して前記挿入空間内に収容されるように延伸していて、前記蓋壁部の前記第１の面と前記連結壁部との両方に当接及び係合しているタブ部と、
相対する両側縁を有する搭載部であって、一側縁が前記タブ部に繋がっており、他側縁が前記第２の切り欠きを経由して前記蓋壁部の前記第２の面から突出していると共に、装飾物を保持することができる、搭載部と、を備えている、
ことを特徴とする装飾物固定機構。
【請求項２】
前記タブ部は、前記基部と繋がって前記連結壁部に当接している第１の板体と、前記第１の板体と並列して前記蓋壁部の前記第１の面に当接して一部分が前記第２の案内溝を遮蔽している第２の板体と、両端がそれぞれ前記第１の板体と前記第２の板体と連続していて湾曲状となるように構成されている連結板体と、から構成されており、
前記搭載部は、前記第２の板体における前記第２の案内溝を遮蔽する箇所に設けられていて、前記第２の切り欠きを経由して前記蓋壁部の前記第２の面から突出している、
ことを特徴とする請求項１に記載の装飾物固定機構。
【請求項３】
前記搭載部の他側縁は、鋸歯状に形成されている、
ことを特徴とする請求項１に記載の装飾物固定機構。
【請求項４】
前記連結壁部の前記第１の切り欠きの方から見た断面は、Ｕ字形状に形成されている、
ことを特徴とする請求項１に記載の装飾物固定機構。
【請求項５】
液体を注入するための容器開口を有する容器部と、
前記容器部の容器開口を覆って着脱自在に設けられている蓋部であって、蓋本体と、前記蓋本体から突出している取っ手と、から構成されている蓋部と、
前記取っ手を覆って位置決めされている請求項１に記載の装飾物固定機構と、を備えているポットであって、
前記取っ手が前記装飾物固定機構における前記固定シートの前記内空間内に収容されて固定されている、
ことを特徴とするポット。
【請求項６】
前記蓋部には、前記蓋本体と前記取っ手とを貫通していて、外側と前記容器部内とを連通する通気孔が更に形成されており、
前記ポットが、前記通気孔を挿通し、且つ一端が前記蓋本体の内表面から突出している排気管と、上方視で所定のパターンを呈する排気孔が形成されていると共に、前記蓋本体の内表面に前記排気管の一端と連接している第１の保持部と、から構成されている排気部を更に備えている、
ことを特徴とする請求項５に記載のポット。
【請求項７】
前記容器部には、液体を収容するための空間に面する内表面のいずれか一箇所に周縁が密着するよう連接されていると共に、前記内表面と共に前記液体が流入することができない収容空間を画成している少なくとも１つの隔壁と、外側と前記収容空間とを連通している貫通孔と、が備えられ、
前記ポットが、前記貫通孔を挿通し、且つ、一端が前記容器部の前記内表面から前記収容空間へ突出している連結管と、前記連結管を位置決めするために、前記収容空間において収容されていると共に前記容器部の前記内表面に前記連結管の一端と連接している第２の保持部と、前記連結管を挿通し、且つ、一端が前記容器部の外表面から突出している支持ロッドと、から構成されている少なくとも１つの装飾物支持部を更に備えており、
装飾物が前記容器部の外側で前記支持ロッドの一端に保持され得る、
ことを特徴とする請求項６に記載のポット。
【考案の詳細な説明】
【技術分野】
【０００１】
本考案は装飾物固定機構に関し、特に物品に飾られる装飾物を保持するための装飾物固定機構及び該装飾物固定機構を含むポットに関する。
【背景技術】
【０００２】
従来、個人的な好みや美意識を表すために、服装、或いは、指輪、ネックレス、ペンダントなどの装身具が利用されているだけでなく、例えば、茶道具、瓶、ペン、特許文献１に記載されるようなポットなどの日用品に装飾を施すことも行なわれている。
【先行技術文献】
【特許文献】
【０００３】
【特許文献１】台湾実用新案登録第Ｍ４１１８７２号明細書
【考案の概要】
【考案が解決しようとする課題】
【０００４】
しかしながら、特許文献１に記載された従来のポットには、装飾物を保持することができる機構が備わっていないので、装飾物を装着して独自のスタイルを表現することが難しい。
【０００５】
よって、本考案は上記問題点に鑑みて、上記欠点を解決できる装飾物固定機構、及び該装飾物固定機構を含むポットを提供することを目的とする。
【課題を解決するための手段】
【０００６】
上記目的を達成すべく、本考案は以下の装飾物固定機構、及び該装飾物固定機構を含むポットを提供する。
【０００７】
即ち、固定シートと、前記固定シートに着脱可能に取り付けられていると共に、装飾物が装着される連結部材と、から構成されている装飾物固定機構であって、
前記固定シートは、
両端縁を有する円筒状となっていると共に、第１の切り欠きが前記両端縁のいずれかの端縁の一側から他側へ延伸して所定の幅があるように開設されている周壁部と、
前記周壁部における前記第１の切り欠きが開設されている端縁と隣接し、且つ、前記周壁部と共に内空間を画成している蓋壁部であって、前記内空間に面する第１の面と、前記第１の面の反対側の第２の面と、前記第１の切り欠きに対応する周縁から中央側へ延伸してＴ字形状となるように開設されているとともに、前記第１の切り欠きと隣接して幅が前記第１の切り欠きの幅と一致するように形成されている第１の案内溝と、前記第１の案内溝と連通して幅が前記第１の案内溝の幅よりも小さく形成されている第２の案内溝と、に区分されている第２の切り欠きと、を有している蓋壁部と、
前記内空間において両端壁が前記蓋壁部の前記第１の面に繋がっていて、前記蓋壁部と共に開口を有するように前記第１の切り欠きおよび前記第２の切り欠きと連通している挿入空間を画成している連結壁部と、を備えており、
前記連結部材は、先端の方が前記固定シートの前記挿入空間に着脱可能に挿入されており、且つ、
前記第１の切り欠きおよび前記第２の切り欠きにある箇所においてブロック状に配置構成されている基部と、
前記基部から前記先端の方へ前記第１の切り欠きおよび前記挿入空間の開口を通過して前記挿入空間内に収容されるように延伸していて、前記蓋壁部の前記第１の面と前記連結壁部との両方に当接及び係合しているタブ部と、
相対する両側縁を有する搭載部であって、一側縁が前記タブ部に繋がっており、他側縁が前記第２の切り欠きを経由して前記蓋壁部の前記第２の面から突出していると共に、装飾物を保持することができる、搭載部と、を備えている、装飾物固定機構を提供する。
【０００８】
更に、液体を注入するための容器開口を有する容器部と、
前記容器部の容器開口を覆って着脱自在に設けられている蓋部であって、蓋本体と、前記蓋本体から突出している取っ手と、から構成されている蓋部と、
前記取っ手を覆って位置決めされている上記した装飾物固定機構と、を備えているポットであって、
前記取っ手が前記装飾物固定機構における前記固定シートの前記内空間内に収容されて固定されている、ポットをも提供する。
【考案の効果】
【０００９】
上記構成により、本考案に係る装飾物固定機構、及び該装飾物固定機構を含むポットの構成により、連結部材が固定シートに着脱可能に取り付けられていることによって、使用者が自らの好みに応じて装飾物を容易に変更することができる。
【００１０】
さらに、ポットには、上記した装飾物固定機構が設けられていることによって、日常用品であるポットを飾って、該ポットの美観を向上させることに加え、独自のスタイルをも創ることができる。
【図面の簡単な説明】
【００１１】
【図１】本考案に係る一実施形態のポットの構成が示される側面図である。
【図２】該実施形態のポットにおける容器部と蓋部とが示される側面図である。
【図３】該実施形態のポットにおける容器部と蓋部とが示される模式的上面図である。
【図４】該実施形態の装飾物固定機構の構成が示される斜視図である。
【図５】該実施形態の装飾物固定機構における固定シートの構成が示される側面図である。
【図６】該実施形態の装飾物固定機構が蓋部に装着された状態が示される一部模式的斜視図である。
【図７】該実施形態の装飾物支持部が容器部に装着された状態が示される一部模式的斜視図である。
【図８】該実施形態の排気管と第１の保持部とが示される図である。
【図９】該実施形態の連結管と第２の保持部と支持ロッドとが示される図である。
【考案を実施するための形態】
【００１２】
図１〜図３を参照して本考案に係るポット１００の実施形態を説明する。ここで、図１は本考案に係る一実施形態のポット１００の構成が示される側面図であり、図２は該実施形態のポット１００における容器部１と蓋部２とが示される側面図であり、また、図３は該実施形態のポット１００における容器部１と蓋部２とが示される模式的上面図である。
【００１３】
図１に示されるように、本考案に係るポット１００は、容器部１と、蓋部２と、装飾物固定機構３と、を備えている。
【００１４】
容器部１は、通常の使用状態では上方に開口されている上、例えばお茶や飲用水などの飲み物を注入する箇所とする容器開口１５を有すると共に、当該飲み物となされる液体を収容するためのものであり、図１〜図３に示されるように、液体を収容するための空間に面する内表面のいずれか一箇所に周縁が密着するよう連接されていると共に、当該内表面と共に液体が流入することができない収容空間１４１を画成している少なくとも１つの隔壁１４と、外側と収容空間１４１とを連通している貫通孔１３と、を備えている。
【００１５】
なお、本実施形態では、該容器部１は、図１及び図２に示されるように、容器開口１５の周囲の肩部が側面視において弧度を有する形状に形成されている。勿論、ここでそれに限定されず、他の実施形態において容器開口１５を有すれば、他の形状に形成されてもよい。
【００１６】
さらに、本実施形態では、該容器部１には、図２及び図３に示されるように、隔壁１４が複数備えられ、そして貫通孔１３が隔壁１４の数量に応じて形成されている。より具体的に言うと、隔壁１４は、本実施形態において粘土で傘状に形成されているものであり、周縁が容器部１の内表面に密着に連接されていることで、収容する液体が収容空間１４１に浸入することなく、貫通孔１３を経由して容器部１の外部に漏れることを防止することができる。
【００１７】
ここで、隔壁１４の材料および形状は、それらに限定されず、他の実施形態において他の耐熱性を有する材料により他の収容空間１４１を画成する形状に形成されてもよい。
【００１８】
蓋部２は、容器部１の容器開口１５を覆って着脱自在に設けられているものであり、図１〜図３に示されるように、容器部１の容器開口１５を覆う蓋本体２１と、蓋本体２１から突出していると共に、使用者が持って容器部１の開閉を行なうための取っ手２２と、蓋本体２１と取っ手２２とを貫通していて、外側と容器部１内とを連通する通気孔２３と、から構成されている。
【００１９】
特に、容器部１内にある液体が高温である場合に使用者がやけどをしないように、取っ手２２が断熱材料から作成されている。また、該高温な液体による水蒸気が該通気孔２３を経由してポット１００の外側へ発散することによって、ポット１００内部における圧力が低くなって、ポット１００の安全性を確保することができる。
【００２０】
図４〜図６を参照して本考案に係るポット１００における装飾物固定機構３の構成の実施形態を説明する。ここで、図４は該実施形態の装飾物固定機構３の構成が示される斜視図であり、図５は該実施形態の装飾物固定機構３における固定シート３１の構成が示される側面図であり、また、図６は該実施形態の装飾物固定機構３が蓋部２に装着された状態が示される一部模式的斜視図である。
【００２１】
装飾物固定機構３は、図１に示されるように、蓋部２の取っ手２２を覆って位置決めされている機構であり、且つ、図４に示されるように、固定シート３１と、固定シート３１に着脱可能に取り付けられていると共に装飾物９が装着される連結部材３３と、から構成されている。
【００２２】
固定シート３１は、図４に示されるように、周壁部３１１と、蓋壁部３１２と、連結壁部３１３と、を備えている。
【００２３】
周壁部３１１は、図４に示されるように、両端縁を有する円筒状となっていると共に、第１の切り欠き３１４が両端縁のいずれかの端縁の一側から他側へ延伸して所定の幅があるように開設されている。
【００２４】
蓋壁部３１２は、図４に示されるように、周壁部３１１における第１の切り欠き３１４が開設されている端縁と隣接していて略円形の板体状となる上、周壁部３１１と共に内空間３１５を画成しており、且つ、内空間３１５に面する第１の面３１６と、第１の面３１６の反対側の第２の面３１７と、第２の切り欠き３１８と、を有している。
【００２５】
第２の切り欠き３１８は、図４に示されるように、第１の切り欠き３１４に対応する周縁から中央側へ延伸してＴ字形状となるように開設されているとともに、第１の切り欠き３１４と隣接して幅が第１の切り欠き３１４の幅と一致するように形成されている第１の案内溝３１９と、第１の案内溝３１９と連通して幅が第１の案内溝３１９の幅よりも小さく形成されている第２の案内溝３２１と、に区分されている。
【００２６】
連結壁部３１３は、図４に示されるように、内空間３１５において両端壁が溶接により蓋壁部３１２の第１の面３１６に繋がっていて、蓋壁部３１２と共に開口を有するように第１の切り欠き３１４および第２の切り欠き３１８と連通している挿入空間３２２を画成している。
【００２７】
また、連結壁部３１３の第１の切り欠き３１４の方から見た断面は、図４及び図５に示されるように、Ｕ字形状に形成されていることに伴い、挿入空間３２２が略長方体形状となっている。ここで、連結壁部３１３の断面の形状は、Ｕ字形状に限定されず、他の実施形態において他の形状に形成されてもよい。
【００２８】
より具体的に言うと、図６に示されるように、蓋部２の取っ手２２が装飾物固定機構３における固定シート３１の内空間３１５内に収容されて固定されることができるように、固定シート３１の内空間３１５の直径を、取っ手２２の水平方向における長さと一致するようにする一方、周壁部３１１の高さを、取っ手２２の鉛直方向における厚さよりも大きくするようにする。
【００２９】
そうすると、取っ手２２が固定シート３１の内空間３１５内に収容されると共に、固定シート３１が取っ手２２に当接するように係合することができる。この場合、連結壁部３１３の取っ手２２に向かう面は、図６に示されるように、通気孔２３と間隔をあけている。
【００３０】
連結部材３３は、図４及び図６に示されるように、先端の方が固定シート３１の挿入空間３２２に着脱可能に挿入されており、且つ、基部３３１と、タブ部３３２と、搭載部３３３と、を備えている。
【００３１】
基部３３１は、図４及び図６に示されるように、第１の切り欠き３１４および第２の切り欠き３１８にある箇所においてブロック状に配置構成されており、且つ挿入空間３２２に向かう面が連接面３３４となされている。なお、本実施形態では、該基部３３１は、略長方体に形成されている。
【００３２】
タブ部３３２は、図４及び図６に示されるように、基部３３１から先端の方へ第１の切り欠き３１４および挿入空間３２２の開口を通過して挿入空間３２２内に収容されるように延伸していて、蓋壁部３１２の第１の面３１６と連結壁部３１３との両方に当接及び係合しているものであり、且つ、基部３３１の連接面３３４と繋がって連結壁部３１３に当接している第１の板体３３５と、第１の板体３３５と並列して第１の面３１６に当接して一部分が第２の切り欠き３１８の第２の案内溝３２１を遮蔽している第２の板体３３６と、両端がそれぞれ第１の板体３３５と第２の板体３３６と連続していて基部３３１の連接面３３４に向かって開口する湾曲状(即ち、Ｕ字形状)となるように構成されている連結板体３３７と、から構成されている。
【００３３】
より詳しく言うと、連結板体３３７は、第１の板体３３５の先端から弾性が備わるように折れ曲がって第２の板体３３６と連結している。
【００３４】
このような構成によって、図６に示されるように、連結部材３３は、固定シート３１に装着された場合、連結板体３３７の弾性により第１の板体３３５に下方への付勢力を与え続ける一方、第２の板体３３６に上方への付勢力を与え続けることによって、連結部材３３は、タブ部３３２が挿入空間３２２内に係合されるように、固定シート３１に取り付けられる。
【００３５】
搭載部３３３は、図４に示されるように、相対する両側縁を有する上、一側縁がタブ部３３２の第２の板体３３６に繋がっており、すなわち、第２の板体３３６における第２の案内溝３２１を遮蔽する箇所に設けられており、他側縁が鋸歯状に形成されている上、第２の切り欠き３１８を経由して蓋壁部３１２の第２の面３１７から突出していると共に、装飾物９を保持することができる。また、該鋸歯構造は、使用者が連結部材３３を固定シート３１から取り外す際に、手の指で該鋸歯構造に対して力を付与しやすい設計である。
【００３６】
なお、本実施形態では、搭載部３３３は、頂面に鋸歯構造を有する長方体に形成されており、そして装飾物９が溶接で該頂面に連接されている。該装飾物９は、例えば指輪、ネックレス、ペンダント、ピアス、イヤリング、ブレスレットなどの装身具に飾られた飾り物であり、すなわち、装身具から取り外して搭載部３３３により保持させることにより、該実施形態のポット１００を飾ることができるものである。
【００３７】
理想的には、連結部材３３が固定シート３１に装着されると、基部３３１の頂面が蓋壁部３１２の第２の面３１７と同一平面となり、且つ、基部３３１の連接面３３４の反対側の面が周壁部３１１の外周面と連続するような形状となる。これによって、連結部材３３を固定シート３１から取り外し、或いは、固定シート３１に取り付ける際に、外周縁から突出する鋭い角による怪我を防止することができる。
【００３８】
更に言うと、装飾物固定機構３は、装飾物９を保持する機能を有するだけではなく、取っ手２２を覆って位置決めされていることで、図６に示されるように、蓋部２の通気孔２３を遮蔽して、塵や埃が通気孔２３を通して容器部１内に進入することを防止することもできる。
【００３９】
図７〜図９を参照する。ここで、図７は該実施形態の装飾物支持部５１が容器部１に装着された状態が示される一部模式的斜視図であり、図８は該実施形態の排気管４１１と第１の保持部４１２とが示される図であり、また、図９は該実施形態の連結管５１１と第２の保持部５１２と支持ロッド５１３とが示される図である。
【００４０】
本考案に係るポット１００は、図６及び図７に示されるように、排気部４１と、少なくとも１つの装飾物支持部５１と、を更に備えている。
【００４１】
排気部４１は、図６及び図８に示されるように、通気孔２３を挿通し、且つ一端が蓋本体２１の内表面から突出している排気管４１１と、上方視で所定のパターンを呈する排気孔４１３が形成されていると共に、蓋本体２１の内表面側で排気管４１１の一端と連接している第１の保持部４１２と、から構成されている。
【００４２】
なお、本実施形態では、該排気管４１１は、金属材料から作成されている円柱状のものであり、そして該排気管４１１における蓋本体２１の内表面から突出する端部は、蛸足状に広がり、且つそれぞれ該排気管４１１の中心軸線を取り囲んでいる上、可撓性を有する複数の脚部４１４となされている。
【００４３】
また、第１の保持部４１２は、図６及び図８に示されるように、液体を収容するための空間へ膨出するドーム状となるように配置されている上、それぞれ排気孔４１３を周る周方向に沿って互いに間隔をあけて配置されている複数の固定孔４１５(図８を参照)を更に有している。そして、該複数の脚部４１４は、図６及び図８に示されるように、それぞれリベット止めの手段で対応する固定孔４１５に接合されている。
【００４４】
このような構成によって、排気管４１１は、図６に示されるように、通気孔２３内に保持されると共に、支持手段として第１の保持部４１２を支持することができる。また、容器部１内にある液体が高温である場合、該高温な液体による水蒸気が、第１の保持部４１２に形成された排気孔４１３、そして通気孔２３を経由して装飾物固定機構３の内空間３１５へ発散されてから、固定シート３１と連結部材３３との隙間を通して外側へ発散されることができる。
【００４５】
さらに、本実施形態において、図６及び図８に示されるように、排気孔４１３のパターンは、漢字の「春」を例として表示されているが、ここで漢字の「春」に限定されず、他の実施形態において、例えば「ＬＯＶＥ」のようなアルファベット、絵文字、イラストなどの形状であることができる。これによって、蓋部２の内側に対して、美観を向上させることができる。
【００４６】
装飾物支持部５１は、図７及び図９に示されるように、容器部１の貫通孔１３を挿通し、且つ、一端が容器部１の内表面から収容空間１４１へ突出している連結管５１１と、連結管５１１を位置決めするために、収容空間１４１において収容されていると共に容器部１の内表面側で連結管５１１の一端と連接している第２の保持部５１２と、連結管５１１を挿通し、且つ、一端が容器部１の外表面から突出している支持ロッド５１３と、から構成されている。
【００４７】
なお、図９に示されるように、連結管５１１は、排気部４１の排気管４１１と同じように構成されているものである。そして第２の保持部５１２の構成は、第１の保持部４１２と共通するが、該第２の保持部５１２においてパターンが設けられていない。このため、ここで詳細な説明を省略する。
【００４８】
具体的に、支持ロッド５１３は、容器部１の外側で装飾物９を支持ロッド５１３の一端に保持することができるものである。装飾物９を変更する際に、一端が装飾物９を保持している支持ロッド５１３を貫通孔１３から引き抜いて、他の装飾物９に取り替えてから支持ロッド５１３を貫通孔１３に挿入すると、装飾物９の変更が完了する。さらに、支持ロッド５１３を貫通孔１３に挿入する際には、第２の保持部５１２により一定以上の挿入が阻まれるので、容器部１の損傷を防止することができる。
【００４９】
そのため、装飾物支持部５１によれば、図１及び図７に示されるように、ポット１００の側面をも飾ることができる。
【００５０】
なお、本考案に係る装飾物固定機構３は、ポット１００に取り付けることに限定されず、他の実施形態において、他の物品（例えば、瓶、弁当箱、ペンなど）のサイズや形状に応じて取り付けることによって、同様な効果を発揮することができる。
【００５１】
総括すると、本考案は、装飾物固定機構３、及び該装飾物固定機構３を含むポット１００の構成により、連結部材３３が固定シート３１に着脱可能に取り付けられていることによって、使用者が自分の好みに応じて装飾物９を容易に変更することができる。
【００５２】
さらに、ポットに上記した装飾物固定機構３が設けられていることによって、日常用品であるポット１００を飾って、該ポット１００の美観を向上させることに加え、独自のスタイルをも創ることができる。
【００５３】
以上、本考案の好ましい実施形態及び変化例を説明したが、本考案はこれらに限定されるものではなく、最も広い解釈の精神および範囲内に含まれる様々な構成として、全ての修飾および均等な構成を包含するものとする。
【産業上の利用可能性】
【００５４】
上記のように記載された構成によって、本考案に係る装飾物固定機構を用いて、ポットのような物品を飾って美観を向上させることに有用である。そのため、産業上の利用可能性がある。
【符号の説明】
【００５５】
１００  ポット
１  容器部
１３  貫通孔
１４  隔壁
１４１  収容空間
１５  容器開口
２  蓋部
２１  蓋本体
２２  取っ手
２３  通気孔
３  装飾物固定機構
３１  固定シート
３１１  周壁部
３１２  蓋壁部
３１３  連結壁部
３１４  第１の切り欠き
３１５  内空間
３１６  第１の面
３１７  第２の面
３１８  第２の切り欠き
３１９  第１の案内溝
３２１  第２の案内溝
３２２  挿入空間
３３  連結部材
３３１  基部
３３２  タブ部
３３３  搭載部
３３４  連接面
３３５  第１の板体
３３６  第２の板体
３３７  連結板体
４１  排気部
４１１  排気管
４１２  第１の保持部
４１３  排気孔
４１４  脚部
４１５  固定孔
５１  装飾物支持部
５１１  連結管
５１２  第２の保持部
５１３  支持ロッド
９  装飾物
【図１】
0003227445.tif 000003
【図２】
0003227445.tif 000004
【図３】
0003227445.tif 000005
【図４】
0003227445.tif 000006
【図５】
0003227445.tif 000007
【図６】
0003227445.tif 000008
【図７】
0003227445.tif 000009
【図８】
0003227445.tif 000010
【図９】
0003227445.tif 000011